(57)【要約】【課題】  効率的にビーズアクセサリーを作製でき且つビーズ材料や道具類の片付けを簡単に行えるようにすること。【解決手段】  このビーズケース１００は、上記試作用トレー１１０と、工具・道具整理箱１２０と、ビーズ収納ケース１３０と、ビーズ材料整理箱１４０とを積層した構造であり、互いに縦横寸法を同じくし且つそれらの上端縁及び下端縁にて互いに嵌め合って積層し、全体的に箱状にまとめることができる。このため、ビーズ材料及び工具等をまとめて収納でき、家事の合間にビーズケース１００を広げたり、片づけたりしやすい。【選択図】図１
2011156303.tif 000002
【特許請求の範囲】
【請求項１】
ビーズ材料を置く浅底の複数の窪みを有する試作用トレーと、
工具や道具を収納する工具・道具整理箱と、
内部に舟形小トレーを複数並べて配置される引出トレーを有するビーズ収納ケースと、
ビーズ材料を入れた小袋を並べて収納する引出部を有するビーズ材料整理箱と、
のいずれか２つ以上を備え、それらの縦横が略同寸法であり且つ積層可能な構造としたことを特徴とするビーズケース。
【請求項２】
ビーズ材料を入れるものでありその内側が凹部となる小舟形状であってその両端側は幅が次第に狭くなり且つ底が傾斜して次第に浅くなると共に両端部には下向きの傾斜部が設けられている舟形小トレーを複数備えたことを特徴とするビーズケース。
【請求項３】
ビーズ材料を置く浅底の複数の窪みを有する試作用トレーと、
工具や道具を収納する工具・道具整理箱と、
内部に舟形小トレーを複数並べて配置される引出トレーを有するビーズ収納ケースと、
ビーズ材料を入れた小袋を並べて収納する引出部を有するビーズ材料整理箱と、
のいずれか２つ以上を収納する本体を備え、この本体に持ち手が設けられていることを特徴とするビーズケース。
【請求項４】
ビーズ材料を入れるものであり、内側が凹部となる小舟形状であってその両端側は幅が次第に狭くなり且つ底が傾斜して次第に浅くなると共に両端部には下向きの傾斜部が設けられていることを特徴とする舟形小トレー。
【発明の詳細な説明】
【技術分野】
【０００１】
本発明はビーズアクセサリー作製時に使用するビーズ収納ケース及び材料整理箱セットに関するものである。
【背景技術】
【０００２】
ビーズアクセサリー作りを趣味とする人が増え、書店には多くのビーズアクセサリーの作品集が並んでいる。それらの書籍には、作り方とともに一つの作品内に使われているビーズの種類、材質、形、大きさ、色等が記載されている。また、ビーズアクセサリーを作るには、これらのビーズの他に当該ビーズ同士を連結させる為の連結金具、テグス、糸、革紐等（以下、ビーズその他のビーズ関連の材料や素材を「ビーズ材料」という。）も必要である。
【０００３】
ビーズ雑誌の誌上では、素人のアクセサリー作り愛好家によるビーズ作品のデザイン性を競うコンテスト等も開かれており、大変な盛況ぶりである。このようなことから、ビーズ愛好家がデザイン性のある複雑なアクセサリーを作りたがる傾向が見て取れ、ビーズ愛好家が欲するビーズ材料の種類や量は年々増え続けている。
【０００４】
上記のような事情からビーズアクセサリー作りには、（１）多種多様なビーズ材料を整理して保管すること、（２）多種多様なビーズ材料を整然と並べ、アクセサリーの作りやすい環境を整えることが強く望まれる。
【発明の概要】
【発明が解決しようとする課題】
【０００５】
図２８は、従来のビーズ材料の保存ケースの一例を示す斜視図である。この保存ケース５００は、透明なプラスチック製の円筒形の小ケース同士を瓶の蓋のように螺合連結させる構造である。しかしながら、かかる保存ケースでは、縦長のため安定が悪く倒れやすく、中の材料が取り出し難いため、効率的なビーズアクセサリーの作製に適していないという問題点があった。
【０００６】
また、ビーズアクセサリーを作製する人は主婦が多いため、ビーズアクセサリーを作製する時間が長く取れず、家事の合間に作業をすることが多い。このため、作業途中で速やかにビーズ材料及び道具等を整理して片づける必要がある。しかしながら、従来の保管ケースや市販の道具では、作業終了時に速やかに整理し片づけることが困難であるという問題点があった。
【課題を解決するための手段】
【０００７】
上記課題を解決する為に、本発明のビーズケースは、ビーズ材料を置く浅底の複数の窪みを有する試作用トレーと、工具や道具を収納する工具・道具整理箱と、内部に舟形小トレーを複数並べて配置される引出トレーを有するビーズ収納ケースと、ビーズ材料を入れた小袋を並べて収納する引出部を有するビーズ材料整理箱と、のいずれか２つ以上を備え、それらの縦横が略同寸法であり且つ積層可能な構造としたことを特徴とする。
【０００８】
また、本発明のビーズケースは、ビーズ材料を入れるものでありその内側が凹部となる小舟形状であってその両端側は幅が次第に狭くなり且つ底が傾斜して次第に浅くなると共に両端部には下向きの傾斜部が設けられている舟形小トレーを複数備えたことを特徴とする。
【０００９】
また、本発明のビーズケースは、ビーズ材料を置く浅底の複数の窪みを有する試作用トレーと、工具や道具を収納する工具・道具整理箱と、内部に舟形小トレーを複数並べて配置される引出トレーを有するビーズ収納ケースと、ビーズ材料を入れた小袋を並べて収納する引出部を有するビーズ材料整理箱と、のいずれか２つ以上を収納する本体を備え、この本体に持ち手が設けられていることを特徴とする。
【００１０】
また、本発明の舟形小トレーは、ビーズ材料を入れるものであり、内側が凹部となる小舟形状であってその両端側は幅が次第に狭くなり且つ底が傾斜して次第に浅くなると共に両端部には下向きの傾斜部が設けられていることを特徴とする。
【図面の簡単な説明】
【００１１】
【図１】この発明の実施の形態１に係るビーズケースを示す組立斜視図である。
【図２】図１に示したビーズケースを閉じた状態を示す斜視図である。
【図３】図１に示したビーズケースを閉じた状態を示す正面図である。
【図４】図１に示したビーズケースを閉じた状態を示す側面図である。
【図５】図１に示したビーズケースを閉じた状態を示す底面図である。
【図６】試作用トレーの斜視図である。
【図７】試作用トレーの底面図である。
【図８】試作用トレーの平面図である。
【図９】試作用トレーのａ−ａ断面図である。
【図１０】工具・道具整理箱の斜視図である。
【図１１】舟形小トレーを収納したビーズ収納ケースの斜視図である。
【図１２】舟形小トレーを収納したビーズ収納ケースの側面図である。
【図１３】舟形小トレーを収納したビーズ収納ケースの平面図である。
【図１４】舟形小トレーを収納したビーズ収納ケースのｂ−ｂ断面図である。
【図１５】舟形小トレーの斜視図である。
【図１６】舟形小トレーの平面図である。
【図１７】舟形小トレーの側面図である。
【図１８】舟形小トレーの正面図である。
【図１９】ビーズ材料整理箱を示す斜視図である。
【図２０】この発明のビーズケースの使用例を示す説明図である。
【図２１】ビーズ材料を入れた舟形小トレーをビーズ収納ケースに収納した例を示す説明図である。
【図２２】この発明の実施の形態２に係るキャリーボックスを示す斜視図である。
【図２３】図２２に示したキャリーボックスの上面図である。
【図２４】図２２に示したキャリーボックスの正面図である。
【図２５】図２２に示したキャリーボックスの側面図である。
【図２６】キャリーボックスにビーズケースを収納した場合の斜視図である。
【図２７】キャリーボックスの使用例を示す説明図である。
【図２８】従来のビーズ材料の保存ケースの一例を示す斜視図である。
【発明を実施するための形態】
【００１２】
（実施の形態１）
図１は、この発明の実施の形態１に係るビーズケースを示す組立斜視図である。図２は、図１に示したビーズケースを閉じた状態を示す斜視図、図３は正面図、図４は側面図、図５は底面図である。この発明のビーズケースは、試作用トレー１１０と、工具・道具整理箱１２０と、ビーズ収納ケース１３０と、ビーズ材料整理箱１４０とからなる。なお、これらの４種類の道具のうち少なくとも二つを組み合わせたものを、ビーズケース１００という。
【００１３】
このビーズケース１００は、上記試作用トレー１１０と、工具・道具整理箱１２０と、ビーズ収納ケース１３０と、ビーズ材料整理箱１４０とを積層した構造であり、互いに縦横寸法を同じくし且つそれらの上端縁及び下端縁にて互いに嵌め合って積層し、全体的に箱状にまとめることができる。このため、ビーズ材料及び工具等をまとめて収納でき、家事の合間にビーズケース１００を広げたり、片づけたりしやすい。
【００１４】
[試作用トレー]
図６は、試作用トレーの斜視図である。図７は、図６に示した試作用トレーの底面図、図８は平面図、図９は図８のａ−ａ断面図である。この試作用トレー１１０は、長方形の平板形状であり、試験的にビーズ材料を置いてみてビーズアクセサリーのデザインを考える略楕円形状の浅底の第一の窪み１１１と、一時的にビーズ材料を置いておく浅底の第二の窪み１１２とを備えている。前記第一の窪み１１１には、その表面に略楕円形状の線１１３が設けられている。当該線１１３はネックレスの大まかな形状を示したものであり、当該線１１３上にはネックレスの長さを示す文字１１４（例えば４０ｃｍ、５０ｃｍ、６０ｃｍ）が併記されている。また、各線１１３の一部には、ペンダントトップを置く基準位置を示す「中心」の文字１１５が記載されている。第二の窪み１１２は、ビーズ材料を置くための円形の２つの窪みからなる。また、第二の窪み１１２は、イヤリングや指輪等の小物アクセサリーのデザインを考えるために利用できる。
【００１５】
また、試作用トレー１１０の周縁にはリブ１１６が形成されている。前記試作用トレー１１０の周縁が後述する工具・道具整理箱１２０の内側に嵌り込み、当該工具・道具整理箱１２０の上縁が前記リブ１１６を支持する。これにより、試作用トレー１１０を工具・道具整理箱１２０に積層可能となる。また、試作用トレー１１０の長辺の中央付近には水平方向の突起部１１７が設けられている。この突起部１１７はユーザが指を引っ掛けることができる程度の寸法とする。なお、試作用トレー１１０の表面、少なくとも各窪み１１１，１１２の表面には不織布を展着してビーズ材料が転がり難くするのが好ましい。
【００１６】
この試作用トレー１１０によれば、各窪み１１１，１１２に試験的にビーズ材料を並べることでビーズアクセサリーの色や形の全体的なバランスやデザインを考えることができる。また、工具・道具整理箱１２０に積層して蓋として機能する。
【００１７】
[工具・道具整理箱]
図１０は、工具・道具整理箱の斜視図である。工具・道具整理箱１２０は、仕切り板１２１により複数大小の区画１２２，１２３に仕切られており、例えば大きめの区画１２２には、ペンチ、ニッパー、ヤットコ等といった工具類を収納保管し、小さめの区画１２３にはテグス、指カン、手芸用ボンド等といった道具類を収納・保管する。各区画１２２，１２３に保管する対象は工具や道具に限定されない。例えばビーズ材料であっても良い。また、前記上縁の長辺中央付近には前記試作用トレー１１０を取り上げるときに指を入れる凹部１２４が設けられている。また、下縁にはリブが形成されている（図示省略）。このリブが後述するビーズ収納ケース１３０の上縁に嵌り込んで当該ビーズ収納ケース１３０に積層可能となる。
【００１８】
この工具・道具整理箱１２０は、ビーズアクセサリー作りに必要な工具・道具類を一カ所に整理して保管できるため、これらを必要なときにすぐに取り出して作業でき、また、工具・道具類を探す手間が少なくなる。使用しないときは、ビーズ収納ケース１３０に積層して片づけておけば良い。
【００１９】
[ビーズ収納ケース]
図１１は、舟形小トレーを収納したビーズ収納ケースの斜視図である。図１２はその側面図、図１３は平面図、図１４は、図１３のｂ−ｂ断面図である。図１５は、舟形小トレーの斜視図、図１６は平面図及び底面図、図１７は側面図、図１８は正面図である
【００２０】
このビーズ収納ケース１３０は、長方形の浅底の引出トレー１３１を有し、この引出トレー１３１の内部には一方向に複数の舟形小トレー１３２が並べて配置されている。舟形小トレー１３２は長方形の小舟形状である。また、ビーズ収納ケース１３０は当該引出トレー１３１を２段備えている。なお、この引出トレー１３１はビーズ収納ケース１３０から一定量引き出すとストップするが、当該引出トレー１３１を少し持ち上げることで完全に引き出すことができる。当該ビーズ収納ケース１３０の上下の周縁は、工具・道具整理箱１２０及び後述するビーズ材料整理箱１４０を積層できる構造を有する。具体的には、ビーズ収納ケース１３０の上下周縁に小さなリブを形成し（図示省略）、このリブが工具・道具整理箱１２０及びビーズ材料整理箱１４０に嵌ることで位置決めされ、工具・道具整理箱１２０、ビーズ収納ケース１３０及びビーズ材料整理箱１４０がきれいに積層される。また、引出トレー１３１の長辺の一方には、当該引出トレー１３１を引き出すための取手部１３３が設けられている。なお、引出トレー１３１の深さは舟形小トレー１３２の高さよりも若干大きくする。
【００２１】
舟形小トレー１３２の内側は凹部１３４となる。また、図１６に示すように、舟形小トレー１３２からビニール袋にビーズ材料を移しやすくするため、舟形小トレー１３２の両端側は幅が次第に狭くなっている。また、図１７に示すように、両端側の底も傾斜しており（傾斜底１３５）、両端側ほど次第に浅くなる。更に、ビニール袋に差し込みやすくするため、両端部には下向きの傾斜部１３６が設けられ且つ最端部には凹部１３７が設けられている（図１８参照）。
【００２２】
ビニール袋に入っているビーズ材料を各舟形小トレー１３２に移すことで各舟形小トレー１３２にビーズ材料を種類ごとに収納する。そして、これらを引出トレー１３１内に並べることで、ビーズ材料の識別がしやすくなり作業効率を格段にアップできる。ここで、舟形小トレー１３２は、上方に広い開口を有しているのでビニール袋に入っている材料を舟形小トレー１３２に移し易い。また、ビーズアクセサリー作製時には、舟形小トレー１３２から容易にビーズ材料を取り出すことが出来る。特に、ビーズ材料が少なくなった時、両端側が傾斜底１３５となっているため、ビーズ材料は舟形小トレー１３２の底の中央付近に集まる。従って、ビーズ材料を容易に取り出すことが出来る。
【００２３】
次に、アクセサリーの作製が終わりビーズ材料をビニール袋に戻したいときは、ビニール袋の入り口に舟形小トレー１３２の先端部を差し込んで、舟形小トレー１３２内に残ったビーズ材料を移すようにする。ここで、舟形小トレー１３２の端部の幅が狭くなり、底が浅くなり且つその最端部には凹部１３７が設けられているから、ビーズ材料が舟形小トレー１３２内を上手く移動して、舟形小トレー１３２の端部からビニール袋内にこぼれ落ちるようになる。
【００２４】
舟形小トレー１３２を使用することにより、以下のような効果が期待できる。（１）多種多様のビーズ材料を使用する複雑なビーズアクセサリー作製において、必要なビーズ材料のみを、舟形小トレー１３２に入れてビーズ収納ケース１３０に並べ置くことにより、作製作業の効率化を図ることが出来る。
（２）早急に、ビーズアクセサリー作製作業を中断しなければなりなときにも、舟形小トレー１３２から容易にビニール袋に戻すことが出来る。それによって使用中のビーズ等の材料を容易に整理して片づけることが出来る。
【００２５】
[ビーズ材料整理箱]
図１９は、ビーズ材料整理箱を示す斜視図である。このビーズ材料整理箱１４０は、箱状の引出部１４１を有する。この引出部１４１は内部を複数の部屋１４２に仕切る仕切板１４３が設けられている。具体的には、この仕切板１４３は引出部１４１の幅方向に２枚設けられており、引出部１４１の中を３つの部屋１４２に仕切っている。この部屋１４２の幅は、ビーズ材料を入れるビニール袋の幅よりも若干大きい。また、各部屋１４２には、ビーズ材料を入れたビニール袋の間に置かれ且つ種類の識別やビニール袋の横倒れを防ぐための可動式仕切板１４４が設けられている。また、引出部１４１には、引き出すときに使用する取手部１４５が設けられている。
【００２６】
ユーザは、ビーズ材料を小さなビニール製の袋に入れ、これを立てた状態で並べて引出部１４１内に収納保管する。そして、引出部１４１内の部屋１４２を隙間なく埋めることで、引出部１４１に大量のビーズ材料を保管できる。また、各種ビーズ材料ごとにビニール袋に小分けされているのでビーズ材料ごとの並べ替えも簡単であり、多種のビーズ材料を種類ごとに分かり易く並べることができる。
【００２７】
更に、ビニール袋に入れた材料の間に可動式仕切板１４４を置くことで、ビーズ材料の種類の見分けが簡単になる。また、本箱に本立てを置くのと同じ目的でビニール袋の横倒れを防ぐことができる。なお、可動式仕切板１４４は必要に応じて複数個を使用できる。
【００２８】
[ビーズケースの使用方法]
次に、このビーズケース１００の使用方法の一例を示す。なお、使用手順はユーザ毎に異なるので下記手順に限定されるものではない。図２０は、この発明のビーズケースの使用例を示す説明図である。図２１は、ビーズ材料５２を入れた舟形小トレーをビーズ収納ケースに収納した例を示す説明図である。ユーザはビーズケース１００のビーズ材料整理箱１４０にユーザが入手したビーズ材料５２をその種類毎にビニール袋５０に入れ、引出部１４１の部屋１４２に並べて収納しておく。このとき、可動式仕切板１４４を用いてビニール袋５０が倒れないようにしておく。
【００２９】
次に、試作用トレー１１０を工具・道具整理箱１２０から取り外して、作業領域（机の上等）に置く。また、作業に用いる工具や道具５１は、工具・道具整理箱１２０から取り出す。続いて、ビーズ収納ケース１３０の引出トレー１３１を引き出して内部に並べている舟形小トレー１３２を取り出す。そして、ビーズ材料整理箱１４０の引出部１４１を引き出して所望のビニール袋５０を取り出し、当該ビニール袋５０に入っているビーズ材料５２を舟形小トレー１３２に移す。このとき舟形小トレー１３２は広い開口を有しているので、ビーズ材料５２を移しやすい。
【００３０】
ビーズ材料５２を移した舟形小トレー１３２は、再び引出トレー１３１に収納するか又は作業領域に置く。例えば複数種類のビーズ材料５２を舟形小トレー１３２に移し、これを引出トレー１３１に並べることで、ユーザは作業に用いるビーズを分類して把握しやすくなる。ユーザは、舟形小トレー１３２から所望のビーズ材料５２を取り出して試作用トレー１１０の第一の窪み１１１または第二の窪み１１２の上に並べ、アクセサリーのデザインを検討する。
【００３１】
そして、作業を終了する場合、用いた工具や道具５１を工具・道具整理箱１２０に戻し、試作用トレー１１０を工具・道具整理箱１２０の上に載せて片付ける。また、必要に応じて、舟形小トレー１３２に出したビーズ材料５２をビニール袋５０に戻す。具体的には舟形小トレー１３２の端部をビニール袋５０の入り口に入れ、舟形小トレー１３２を傾けてビーズ材料５２を戻す。このように、舟形小トレー１３２の形状はビーズ材料５２の取り出しやビニール袋５０への戻しに好適である。
【００３２】
以上のように、このビーズケース１００によれば、アクセサリー作製・作業の開始時には必要なビーズ材料５２を取り出しやすく、また、作業終了時には舟形小トレー１３２から元のビニール袋５０に簡単に戻すことが出来る。さらに、工具・道具整理箱１２０にペンチやテグスといったビーズアクセサリー作製の道具５１を入れてビーズ材料５２と一緒に保管することが出来る。この結果、ビーズケース１００より、快適で効率的なアクセサリー作りの作業環境が提供される。
【００３３】
（実施の形態２）
図２２は、この発明の実施の形態２に係るキャリーボックスを示す斜視図である。図２３は、図２２に示したキャリーボックスの上面図、図２４は正面図、図２５は側面図である。図２６は、キャリーボックスにビーズケースを収納した場合の斜視図である。図２７は、キャリーボックスの使用例を示す説明図である。
【００３４】
このキャリーボックス２００は、ビーズケース１００の構成要素を収納する移動用のビーズケースである。キャリーボックス２００には、実施の形態１と同じ構造の工具・道具整理箱１２０が組み込まれており、持ち手２９、蓋３０、留め具３３にフック部３２を引っ掛けて閉じる。
【００３５】
キャリーボックス２００の蓋３０は、蝶番３４により本体３５に取り付けられている。２つの持ち手２９は本体３５に回動自在に取り付けられている。キャリーボックス２００には、図２７に示すように、試作用トレー１１０、ビーズ収納ケース１３０、ビーズ材料整理箱１４０をそれぞれ収納できる。最上部には試作用トレー１１０が収納可能であり、当該試作用トレー１１０を収納した状態で蓋３０を閉じることができる。
【００３６】
工具・道具整理箱１２０の凹部３９に指を入れて試作用トレー１１０を持ち上げることで当該試作用トレー１１０を取り外すことが出来る。図２７に示すように、ビーズ収納ケース１３０の取手部１３３を引くことで引出トレー１３１を引き出すことができる。更に、ビーズ材料整理箱１４０の取手部１４５を引くことで引出部１４１を引き出すことができる。このキャリーボックス２００によれば、持ち手２９を持ち上げることにより場所を移動させて使用することが出来るので、便利である。
【符号の説明】
【００３７】
１００  ビーズケース
１１０  試作用トレー
１２０  工具・道具整理箱
１３０  ビーズ収納ケース
１４０  ビーズ材料整理箱
【図１】
2011156303.tif 000003
【図２】
2011156303.tif 000004
【図３】
2011156303.tif 000005
【図４】
2011156303.tif 000006
【図５】
2011156303.tif 000007
【図６】
2011156303.tif 000008
【図７】
2011156303.tif 000009
【図８】
2011156303.tif 000010
【図９】
2011156303.tif 000011
【図１０】
2011156303.tif 000012
【図１１】
2011156303.tif 000013
【図１２】
2011156303.tif 000014
【図１３】
2011156303.tif 000015
【図１４】
2011156303.tif 000016
【図１５】
2011156303.tif 000017
【図１６】
2011156303.tif 000018
【図１７】
2011156303.tif 000019
【図１８】
2011156303.tif 000020
【図１９】
2011156303.tif 000021
【図２０】
2011156303.tif 000022
【図２１】
2011156303.tif 000023
【図２２】
2011156303.tif 000024
【図２３】
2011156303.tif 000025
【図２４】
2011156303.tif 000026
【図２５】
2011156303.tif 000027
【図２６】
2011156303.tif 000028
【図２７】
2011156303.tif 000029
【図２８】
2011156303.tif 000030